【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
多成分ガス混合物中の少なくとも１種の個別ガス成分を分析する装置であって、
（ａ）第１および第２の化学的／電気的活性物質のアレイであって、それぞれの化学的／電気的活性物質は、該個別ガス成分に選択された温度で暴露したときに他の化学的／電気的活性物質のそれぞれとは異なる電気的応答特性を有し、これらの化学的／電気的活性物質は、
（ｉ）第１の物質がＭ１Ｏｘであり、第２の物質がＭ１ａＭ２ｂＯｘである；
（ｉｉ）第１の物質がＭ１Ｏｘであり、第２の物質がＭ１ａＭ２ｂＭ３ｃＯｘである；
（ｉｉｉ）第１の物質がＭ１ａＭ２ｂＯｘであり、第２の物質がＭ１ａＭ２ｂＭ３ｃＯｘである；
（ｉｖ）第１の物質が第１のＭ１Ｏｘであり、第２の物質が第２のＭ１Ｏｘである；
（ｖ）第１の物質が第１のＭ１ａＭ２ｂＯｘであり、第２の物質が第２のＭ１ａＭ２ｂＯｘである；および
（ｖｉ）第１の物質が第１のＭ１ａＭ２ｂＭ３ｃＯｘであり、第２の物質が第２のＭ１ａＭ２ｂＭ３ｃＯｘである；
からなる群のペアより選択され、Ｍ１は、Ｃｅ、Ｃｏ、Ｃｕ、Ｆｅ、Ｇａ、Ｎｂ、Ｎｉ、Ｐｒ、Ｒｕ、Ｓｎ、Ｔｉ、Ｔｍ、Ｗ、Ｙｂ、Ｚｎ、およびＺｒからなる群より選択され、Ｍ２およびＭ３は、それぞれ独立して、Ａｌ、Ｂａ、Ｂｉ、Ｃａ、Ｃｄ、Ｃｅ、Ｃｏ、Ｃｒ、Ｃｕ、Ｆｅ、Ｇａ、Ｇｅ、Ｉｎ、Ｋ、Ｌａ、Ｍｇ、Ｍｎ、Ｍｏ、Ｎａ、Ｎｂ、Ｎｉ、Ｐｂ、Ｐｒ、Ｒｂ、Ｒｕ、Ｓｂ、Ｓｃ、Ｓｉ、Ｓｎ、Ｓｒ、Ｔａ、Ｔｉ、Ｔｍ、Ｖ、Ｗ、Ｙ、Ｙｂ、Ｚｎ、およびＺｒからなる群より選択されるが、Ｍ２およびＭ３は、Ｍ１ａＭ２ｂＭ３ｃＯｘ中では同一でなく、ａ、ｂ、およびｃは、ａ＋ｂ＋ｃ＝１という条件つきで、それぞれ独立して、０．０００５〜１であり、ｘは、存在する酸素が化合物中の他の元素の電荷とのバランスをとるのに十分な数である、アレイと、
（ｂ）該アレイを該ガス混合物に暴露したときにそれぞれの化学的／電気的活性物質の電気的応答を決定する手段と、
（ｃ）該電気的応答から該個別ガス成分の分析を行う手段と、
を備えた、装置。
【請求項２】
（ａ）Ｍ１Ｏｘが、ＣｅａＯｘ、ＣｏＯｘ、ＣｕＯｘ、ＦｅＯｘ、ＧａＯｘ、ＮｂＯｘ、ＮｉＯｘ、ＰｒＯｘ、ＲｕＯｘ、ＳｎＯｘ、ＴａａＯｘ、ＴｉＯｘ、ＴｍＯｘ、ＷＯｘ、ＹｂＯｘ、ＺｎＯｘ、ＺｒＯｘ、Ａｇ添加剤を有するＳｎＯｘ、Ａｇ添加剤を有するＺｎＯｘ、Ｐｔ添加剤を有するＴｉＯｘ、フリット添加剤を有するＺｎＯｘ、フリット添加剤を有するＮｉＯｘ、フリット添加剤を有するＳｎＯｘ、もしくはフリット添加剤を有するＷＯｘからなる群より選択され、
（ｂ）Ｍ１ａＭ２ｂＯｘが、ＡｌａＣｒｂＯｘ、ＡｌａＦｅｂＯｘ、ＡｌａＭｇｂＯｘ、ＡｌａＮｉｂＯｘ、ＡｌａＴｉｂＯｘ、ＡｌａＶｂＯｘ、ＢａａＣｕｂＯｘ、ＢａａＳｎｂＯｘ、ＢａａＺｎｂＯｘ、ＢｉａＲｕｂＯｘ、ＢｉａＳｎｂＯｘ、ＢｉａＺｎｂＯｘ、ＣａａＳｎｂＯｘ、ＣａａＺｎｂＯｘ、ＣｄａＳｎｂＯｘ、ＣｄａＺｎｂＯｘ、ＣｅａＦｅｂＯｘ、ＣｅａＮｂｂＯｘ、ＣｅａＴｉｂＯｘ、ＣｅａＶｂＯｘ、ＣｏａＣｕｂＯｘ、ＣｏａＧｅｂＯｘ、ＣｏａＬａｂＯｘ、ＣｏａＭｇｂＯｘ、ＣｏａＮｂｂＯｘ、ＣｏａＰｂｂＯｘ、ＣｏａＳｎｂＯｘ、ＣｏａＶｂＯｘ、ＣｏａＷｂＯｘ、ＣｏａＺｎｂＯｘ、ＣｒａＣｕｂＯｘ、ＣｒａＬａｂＯｘ、ＣｒａＭｎｂＯｘ、ＣｒａＮｉｂＯｘ、ＣｒａＳｉｂＯｘ、ＣｒａＴｉｂＯｘ、ＣｒａＹｂＯｘ、ＣｒａＺｎｂＯｘ、ＣｕａＦｅｂＯｘ、ＣｕａＧａｂＯｘ、ＣｕａＬａｂＯｘ、ＣｕａＮａｂＯｘ、ＣｕａＮｉｂＯｘ、ＣｕａＰｂｂＯｘ、ＣｕａＳｎｂＯｘ、ＣｕａＳｒｂＯｘ、ＣｕａＴｉｂＯｘ、ＣｕａＺｎｂＯｘ、ＣｕａＺｒｂＯｘ、ＦｅａＧａｂＯｘ、ＦｅａＬａｂＯｘ、ＦｅａＭｏｂＯｘ、ＦｅａＮｂｂＯｘ、ＦｅａＮｉｂＯｘ、ＦｅａＳｎｂＯｘ、ＦｅａＴｉｂＯｘ、ＦｅａＷｂＯｘ、ＦｅａＺｎｂＯｘ、ＦｅａＺｒｂＯｘ、ＧａａＬａｂＯｘ、ＧａａＳｎｂＯｘ、ＧｅａＮｂｂＯｘ、ＧｅａＴｉｂＯｘ、ＩｎａＳｎｂＯｘ、ＫａＮｂｂＯｘ、ＭｎａＮｂｂＯｘ、ＭｎａＳｎｂＯｘ、ＭｎａＴｉｂＯｘ、ＭｎａＹｂＯｘ、ＭｎａＺｎｂＯｘ、ＭｏａＰｂｂＯｘ、ＭｏａＲｂｂＯｘ、ＭｏａＳｎｂＯｘ、ＭｏａＴｉｂＯｘ、ＭｏａＺｎｂＯｘ、ＮｂａＮｉｂＯｘ、ＮｂａＮｉｂＯｘ、ＮｂａＳｒｂＯｘ、ＮｂａＴｉｂＯｘ、ＮｂａＷｂＯｘ、ＮｂａＺｒｂＯｘ、ＮｉａＳｉｂＯｘ、ＮｉａＳｎｂＯｘ、ＮｉａＹｂＯｘ、ＮｉａＺｎｂＯｘ、ＮｉａＺｒｂＯｘ、ＰｂａＳｎｂＯｘ、ＰｂａＺｎｂＯｘ、ＲｂａＷｂＯｘ、ＲｕａＳｎｂＯｘ、ＲｕａＷｂＯｘ、ＲｕａＺｎｂＯｘ、ＳｂａＳｎｂＯｘ、ＳｂａＺｎｂＯｘ、ＳｃａＺｒｂＯｘ、ＳｉａＳｎｂＯｘ、ＳｉａＴｉｂＯｘ、ＳｉａＷｂＯｘ、ＳｉａＺｎｂＯｘ、ＳｎａＴａｂＯｘ、ＳｎａＴｉｂＯｘ、ＳｎａＷｂＯｘ、ＳｎａＺｎｂＯｘ、ＳｎａＺｒｂＯｘ、ＳｒａＴｉｂＯｘ、ＴａａＴｉｂＯｘ、ＴａａＺｎｂＯｘ、ＴａａＺｒｂＯｘ、ＴｉａＶｂＯｘ、ＴｉａＷｂＯｘ、ＴｉａＺｎｂＯｘ、ＴｉａＺｒｂＯｘ、ＶａＺｎｂＯｘ、ＶａＺｒｂＯｘ、ＷａＺｎｂＯｘ、ＷａＺｒｂＯｘ、ＹａＺｒｂＯｘ、ＺｎａＺｒｂＯｘ、フリット添加剤を有するＡｌａＮｉｂＯｘ、フリット添加剤を有するＣｒａＴｉｂＯｘ、フリット添加剤を有するＦｅａＮｉｂＯｘ、フリット添加剤を有するＦｅａＴｉｂＯｘ、フリット添加剤を有するＮｂａＴｉｂＯｘ、フリット添加剤を有するＮｂａＷｂＯｘ、フリット添加剤を有するＮｉａＺｎｂＯｘ、フリット添加剤を有するＮｉａＺｒｂＯｘ、もしくはフリット添加剤を有するＴａａＴｉｂＯｘからなる群より選択され、かつ／または
（ｃ）Ｍ１ａＭ２ｂＭ３ｃＯｘが、ＡｌａＭｇｂＺｎｃＯｘ、ＡｌａＳｉｂＶｃＯｘ、ＢａａＣｕｂＴｉｃＯｘ、ＣａａＣｅｂＺｒｃＯｘ、ＣｏａＮｉｂＴｉｃＯｘ、ＣｏａＮｉｂＺｒｃＯｘ、ＣｏａＰｂｂＳｎｃＯｘ、ＣｏａＰｂｂＺｎｃＯｘ、ＣｒａＳｒｂＴｉｃＯｘ、ＣｕａＦｅｂＭｎｃＯｘ、ＣｕａＬａｂＳｒｃＯｘ、ＦｅａＮｂｂＴｉｃＯｘ、ＦｅａＰｂｂＺｎｃＯｘ、ＦｅａＳｒｂＴｉｃＯｘ、ＦｅａＴａｂＴｉｃＯｘ、ＦｅａＷｂＺｒｃＯｘ、ＧａａＴｉｂＺｎｃＯｘ、ＬａａＭｎｂＮａｃＯｘ、ＬａａＭｎｂＳｒｃＯｘ、ＭｎａＳｒｂＴｉｃＯｘ、ＭｏａＰｂｂＺｎｃＯｘ、ＮｂａＳｒｂＴｉｃＯｘ、ＮｂａＳｒｂＷｃＯｘ、ＮｂａＴｉｂＺｎｃＯｘ、ＮｉａＳｒｂＴｉｃＯｘ、ＳｎａＷｂＺｎｃＯｘ、ＳｒａＴｉｂＶｃＯｘ、ＳｒａＴｉｂＺｎｃＯｘ、もしくはＴｉａＷｂＺｒｃ
Ｏｘからなる群より選択される、
請求項１に記載の装置。
【請求項３】
前記ガス混合物中の成分ガスが分離されていない、上記１に記載の装置。
【請求項４】
前記多成分ガス混合物に暴露したときだけ前記化学的／電気的活性物質の電気的応答から前記分析が行われる、請求項１に記載の装置。
【請求項５】
前記化学的／電気的活性物質に並列回路構成で接続された、前記ガス混合物の温度値を決定する手段をさらに備え、前記個別ガス成分が、ディジタル化された電気的応答およびディジタル化された温度値から分析される、請求項１に記載の装置。
【請求項６】
それぞれの化学的／電気的活性物質の温度が実質的に前記ガス混合物の可変温度だけで決まる、請求項１に記載の装置。
【請求項７】
選択された温度の前記ガス混合物に暴露したときの各物質の電気的応答特性が値として定量化可能であり、かつ該選択された温度の個別ガス成分に該物質を少なくとも約１分間暴露した際に少なくとも１種の物質の応答値が一定であるかまたは２０パーセント以下の変化を示す、請求項１に記載の装置。
【請求項８】
前記多成分ガス混合物が４００℃未満の温度を有し、かつ前記アレイが前記ガス混合物内に位置して４００℃以上の実質的に一定の温度を有する、請求項１に記載の装置。
【請求項９】
自動車排気系を備えた、請求項１に記載の装置。
【請求項１０】
多成分ガス混合物中の少なくとも１種の個別ガス成分を分析する方法であって、
（ａ）第１および第２の化学的／電気的活性物質のアレイを提供することであって、それぞれの化学的／電気的活性物質は、該個別ガス成分に選択された温度で暴露したときに他の化学的／電気的活性物質のそれぞれとは異なる電気的応答特性を有し、これらの化学的／電気的活性物質は、
（ｉ）第１の物質がＭ１Ｏｘであり、第２の物質がＭ１ａＭ２ｂＯｘである；
（ｉｉ）第１の物質がＭ１Ｏｘであり、第２の物質がＭ１ａＭ２ｂＭ３ｃＯｘである；
（ｉｉｉ）第１の物質がＭ１ａＭ２ｂＯｘであり、第２の物質がＭ１ａＭ２ｂＭ３ｃＯｘである；
（ｉｖ）第１の物質が第１のＭ１Ｏｘであり、第２の物質が第２のＭ１Ｏｘである；
（ｖ）第１の物質が第１のＭ１ａＭ２ｂＯｘであり、第２の物質が第２のＭ１ａＭ２ｂＯｘである；および
（ｖｉ）第１の物質が第１のＭ１ａＭ２ｂＭ３ｃＯｘであり、第２の物質が第２のＭ１ａＭ２ｂＭ３ｃＯｘである；
からなる群のペアより選択され、Ｍ１は、Ｃｅ、Ｃｏ、Ｃｕ、Ｆｅ、Ｇａ、Ｎｂ、Ｎｉ、Ｐｒ、Ｒｕ、Ｓｎ、Ｔｉ、Ｔｍ、Ｗ、Ｙｂ、Ｚｎ、およびＺｒからなる群より選択され、Ｍ２およびＭ３は、それぞれ独立して、Ａｌ、Ｂａ、Ｂｉ、Ｃａ、Ｃｄ、Ｃｅ、Ｃｏ、Ｃｒ、Ｃｕ、Ｆｅ、Ｇａ、Ｇｅ、Ｉｎ、Ｋ、Ｌａ、Ｍｇ、Ｍｎ、Ｍｏ、Ｎａ、Ｎｂ、Ｎｉ、Ｐｂ、Ｐｒ、Ｒｂ、Ｒｕ、Ｓｂ、Ｓｃ、Ｓｉ、Ｓｎ、Ｓｒ、Ｔａ、Ｔｉ、Ｔｍ、Ｖ、Ｗ、Ｙ、Ｙｂ、Ｚｎ、およびＺｒからなる群より選択されるが、Ｍ２およびＭ３は、Ｍ１ａＭ２ｂＭ３ｃＯｘ中では同一でなく、ａ、ｂ、およびｃは、ａ＋ｂ＋ｃ＝１という条件つきで、それぞれ独立して、０．０００５〜１であり、ｘは、存在する酸素が化合物中の他の元素の電荷とのバランスをとるのに十分な数であることと、
（ｂ）該アレイを該ガス混合物に暴露したときにそれぞれの化学的／電気的活性物質の電気的応答値を決定することと、
（ｃ）該電気的応答値から該個別ガス成分の分析を行うことと、
を含む、方法。
【手続補正２】
【補正対象書類名】明細書
【補正対象項目名】００９７
【補正方法】変更
【補正の内容】
【００９７】
【表１３】
2004523731.tif 000001
本発明の好適な実施の態様は次のとおりである。
１．  多成分ガス混合物中の少なくとも１種の個別ガス成分を分析する装置であって、
（ａ）並列回路構成で接続された少なくとも２種の化学的／電気的活性物質のアレイであって、それぞれの化学的／電気的活性物質は、該個別ガス成分に暴露したときに互いに他の化学的／電気的活性物質とは異なる電気的応答特性を呈するアレイと、
（ｂ）該アレイを該ガス混合物に暴露したときにそれぞれの化学的／電気的活性物質の電気的応答を決定する手段と、
（ｃ）該化学的／電気的活性物質に並列回路構成で接続された該アレイの温度値を決定する手段と、
（ｄ）該電気的応答および該温度値のディジタル化ならびにディジタル化された電気的応答および温度値からの値の算出により該個別ガス成分の分析を行う手段と、
を備えた、装置。
２．  前記アレイが、約４００℃以上の温度を有する前記ガス混合物内に位置する、上記１に記載の装置。
３．  前記ガス混合物が燃焼プロセスからの排出物である、上記１に記載の装置。
４．  前記ガス混合物中の成分ガスが分離されていない、上記１に記載の装置。
５．  それぞれの化学的／電気的活性物質の温度が実質的に前記ガス混合物の可変温度だけで決まる、上記１に記載の装置。
６．  前記多成分ガス混合物に暴露したときだけ前記化学的／電気的活性物質の電気的応答から前記分析が行われる、上記１に記載の装置。
７．  分析を行う前記手段が前記ガス混合物内の前記個別ガス成分の濃度を算出する手段である、上記１に記載の装置。
８．  少なくとも１種の化学的／電気的活性物質が、約４００℃以上の温度である場合、（ｉ）約１Ω・ｃｍ〜約１０５Ω・ｃｍの範囲の電気抵抗率を有し、かつ（ｉｉ）該物質を個別ガス成分に暴露したときに暴露前の抵抗と比較して少なくとも約０．１パーセントの電気抵抗の変化を呈する、上記１に記載の装置。
９．  選択された温度の前記ガス混合物に暴露したときの各物質の電気的応答特性が値として定量化可能であり、かつ該選択された温度の個別ガス成分に該物質を少なくとも約１分間暴露した際に少なくとも１種の物質の応答値が一定であるかまたは約２０パーセント以下の変化を示す、上記１に記載の装置。
１０．  前記電気的応答が、抵抗、インピーダンス、キャパシタンス、電圧、または電流からなる群より選択される、上記１に記載の装置。
１１．  少なくとも１種の化学的／電気的活性物質が金属酸化物である、上記１に記載の装置。
１２．  約４００℃以上の温度を有する多成分ガス混合物について、該混合物中の少なくとも２種の個別検体ガス成分の濃度を算出する装置であって、
（ａ）少なくとも３種の化学的／電気的活性物質のアレイであって、該アレイは、該ガス混合物内に位置し、かつそれぞれの化学的／電気的活性物質は、該個別検体ガス成分のそれぞれに暴露したときに他の化学的／電気的活性物質のそれぞれとは異なる電気的応答特性を有するアレイと、
（ｂ）該アレイを該ガス混合物の分離されていない成分に暴露したときにそれぞれの化学的／電気的活性物質の電気的応答を決定する手段と、
（ｃ）該多成分ガス混合物に暴露したときだけ該化学的／電気的活性物質の電気的応答から該個別検体ガス成分のそれぞれの濃度を算出する手段と、
を備えた、装置。
１３．  前記ガス混合物が燃焼プロセスからの排出物である、上記１２に記載の装置。
１４．  それぞれの化学的／電気的活性物質の温度が実質的に前記ガス混合物の可変温度だけで決まる、上記１２に記載の装置。
１５．  少なくとも１種の化学的／電気的活性物質が、約４００℃以上の温度である場合、（ｉ）約１Ω・ｃｍ〜約１０５Ω・ｃｍの範囲の電気抵抗率を有し、かつ（ｉｉ）該物質を検体ガス成分に暴露したときに暴露前の抵抗と比較して少なくとも約０．１パーセントの電気抵抗の変化を呈する、上記１２に記載の装置。
１６．  選択された温度の前記ガス混合物に暴露したときの各物質の電気的応答特性が値として定量化可能であり、かつ該選択された温度の検体ガス成分に該物質を少なくとも約１分間暴露した際に少なくとも１種の物質の応答値が一定であるかまたは約２０パーセント以下の変化を示す、上記１２に記載の装置。
１７．  前記電気的応答が、抵抗、インピーダンス、キャパシタンス、電圧、または電流からなる群より選択される、上記１２に記載の装置。
１８．  少なくとも１種の化学的／電気的活性物質が金属酸化物である、上記１２に記載の装置。
１９．  約４００℃以上の温度を有する多成分ガス混合物について、該混合物中の少なくとも２種の個別検体ガス成分の濃度を算出する装置であって、
（ａ）並列回路構成で接続された少なくとも３種の化学的／電気的活性物質のアレイであって、該アレイは、該ガス混合物内に位置し、かつそれぞれの化学的／電気的活性物質は、該個別検体ガス成分のそれぞれに暴露したときに電気抵抗の変化を呈し、そのうちの少なくとも１種の化学的／電気的活性物質は、約４００℃以上の温度である場合、（ｉ）約１Ω・ｃｍ〜約１０５Ω・ｃｍの範囲の電気抵抗率を有し、かつ（ｉｉ）該物質を検体ガス成分に暴露したときに暴露前の抵抗と比較して少なくとも約０．１パーセントの電気抵抗の変化を呈するアレイと、
（ｂ）該アレイを該ガス混合物に暴露したときにそれぞれの化学的／電気的活性物質の抵抗の変化を決定する手段と、
（ｃ）該化学的／電気的活性物質の抵抗の変化から該個別検体ガス成分のそれぞれの濃度を算出する手段と、
を備えた、装置。
２０．  前記ガス混合物が燃焼プロセスからの排出物である、上記１９に記載の装置。
２１．  それぞれの化学的／電気的活性物質の温度が実質的に前記ガス混合物の可変温度だけで決まる、上記１９に記載の装置。
２２．  選択された温度の前記ガス混合物に暴露したときの各物質の電気的応答特性が値として定量化可能であり、かつ該選択された温度の検体ガス成分に該物質を少なくとも約１分間暴露した際に少なくとも１種の物質の応答値が一定であるかまたは約２０パーセント以下の変化を示す、上記１９に記載の装置。
２３．  少なくとも１種の化学的／電気的活性物質が金属酸化物である、上記１９に記載の装置。
２４．  多成分ガス混合物中の少なくとも１種の個別ガス成分を分析する装置であって、
（ａ）少なくとも２種の化学的／電気的活性物質のアレイであって、それぞれの化学的／電気的活性物質は、該個別ガス成分に選択された温度で暴露したときに他の化学的／電気的活性物質のそれぞれとは異なる電気的応答特性を有し、各物質の電気的応答特性は値として定量化可能であり、そのうちの少なくとも１種の物質の応答値は該選択された温度の個別ガス成分に該物質を少なくとも約１分間暴露した際に一定であるかまたは約２０パーセント以下の変化を示すアレイと、
（ｂ）該アレイを該ガス混合物に暴露したときにそれぞれの化学的／電気的活性物質の電気的応答値を決定する手段と、
（ｃ）該電気的応答値から該個別ガス成分の分析を行う手段と、
を備えた、装置。
２５．  前記アレイが、約４００℃以上の温度を有する前記ガス混合物内に位置する、上記２４に記載の装置。
２６．  前記ガス混合物が燃焼プロセスからの排出物である、上記２４に記載の装置。
２７．  分析を行う前記手段が前記ガス混合物内の前記個別ガス成分の濃度を算出する手段である、上記２４に記載の装置。
２８．  それぞれの化学的／電気的活性物質の温度が実質的に前記ガス混合物の可変温度だけで決まる、上記２４に記載の装置。
２９．  前記電気的応答が、抵抗、インピーダンス、キャパシタンス、電圧、または電流からなる群より選択される、上記２４に記載の装置。
３０．  少なくとも１種の化学的／電気的活性物質が金属酸化物である、上記２４に記載の装置。
３１．  約４００℃未満の温度を有する多成分ガス混合物について、該混合物中の少なくとも１種の個別ガス成分を分析する装置であって、
（ａ）少なくとも２種の化学的／電気的活性物質のアレイであって、それぞれの化学的／電気的活性物質は、該個別ガス成分に選択された温度で暴露したときに他の化学的／電気的活性物質のそれぞれとは異なる電気的応答特性を有し、該アレイは、該ガス混合物内に位置しかつ約４００Ｃ以上の実質的に一定の温度を有するアレイと、
（ｂ）該アレイを該ガス混合物に暴露したときにそれぞれの化学的／電気的活性物質の電気的応答値を決定する手段と、
（ｃ）該電気的応答値から該個別ガス成分の分析を行う手段と、
を備えた、装置。
３２．  前記ガス混合物中の成分ガスが分離されていない、上記３１に記載の装置。
３３．  前記多成分ガス混合物に暴露したときだけ前記化学的／電気的活性物質の電気的応答から前記分析が行われる、上記３１に記載の装置。
３４．  分析を行う前記手段が前記ガス混合物内の前記個別ガス成分の濃度を算出する手段である、上記３１に記載の装置。
３５．  前記化学的／電気的活性物質に並列回路構成で接続された、前記ガス混合物の温度値を決定する手段をさらに備え、前記個別ガス成分が、ディジタル化された電気的応答およびディジタル化された温度値から分析される、上記３１に記載の装置。
３６．  少なくとも１種の化学的／電気的活性物質が、約４００℃以上の温度である場合、（ｉ）約１Ω・ｃｍ〜約１０５Ω・ｃｍの範囲の電気抵抗率を有し、かつ（ｉｉ）該物質を個別ガス成分に暴露したときに暴露前の抵抗と比較して少なくとも約０．１パーセントの電気抵抗の変化を呈する、上記３１に記載の装置。
３７．  選択された温度の前記ガス混合物に暴露したときの各物質の電気的応答特性が値として定量化可能であり、かつ該選択された温度の個別ガス成分に該物質を少なくとも約１分間暴露した際に少なくとも１種の物質の応答値が一定であるかまたは約２０パーセント以下の変化を示す、上記３１に記載の装置。
３８．  前記電気的応答が、抵抗、インピーダンス、キャパシタンス、電圧、または電流からなる群より選択される、上記３１に記載の装置。
３９．  少なくとも１種の化学的／電気的活性物質が金属酸化物である、上記３１に記載の装置。
４０．  多成分ガス混合物中の少なくとも１種の個別ガス成分を分析する装置であって、
（ａ）第１および第２の化学的／電気的活性物質のアレイであって、それぞれの化学的／電気的活性物質は、該個別ガス成分に選択された温度で暴露したときに他の化学的／電気的活性物質のそれぞれとは異なる電気的応答特性を有し、これらの化学的／電気的活性物質は、
（ｉ）第１の物質がＭ１Ｏｘであり、第２の物質がＭ１ａＭ２ｂＯｘである；
（ｉｉ）第１の物質がＭ１Ｏｘであり、第２の物質がＭ１ａＭ２ｂＭ３ｃＯｘである；
（ｉｉｉ）第１の物質がＭ１ａＭ２ｂＯｘであり、第２の物質がＭ１ａＭ２ｂＭ３ｃＯｘである；
（ｉｖ）第１の物質が第１のＭ１Ｏｘであり、第２の物質が第２のＭ１Ｏｘである；
（ｖ）第１の物質が第１のＭ１ａＭ２ｂＯｘであり、第２の物質が第２のＭ１ａＭ２ｂＯｘである；および
（ｖｉ）第１の物質が第１のＭ１ａＭ２ｂＭ３ｃＯｘであり、第２の物質が第２のＭ１ａＭ２ｂＭ３ｃＯｘである；
からなる群のペアより選択され、Ｍ１は、Ｃｅ、Ｃｏ、Ｃｕ、Ｆｅ、Ｇａ、Ｎｂ、Ｎｉ、Ｐｒ、Ｒｕ、Ｓｎ、Ｔｉ、Ｔｍ、Ｗ、Ｙｂ、Ｚｎ、およびＺｒからなる群より選択され、Ｍ２およびＭ３は、それぞれ独立して、Ａｌ、Ｂａ、Ｂｉ、Ｃａ、Ｃｄ、Ｃｅ、Ｃｏ、Ｃｒ、Ｃｕ、Ｆｅ、Ｇａ、Ｇｅ、Ｉｎ、Ｋ、Ｌａ、Ｍｇ、Ｍｎ、Ｍｏ、Ｎａ、Ｎｂ、Ｎｉ、Ｐｂ、Ｐｒ、Ｒｂ、Ｒｕ、Ｓｂ、Ｓｃ、Ｓｉ、Ｓｎ、Ｓｒ、Ｔａ、Ｔｉ、Ｔｍ、Ｖ、Ｗ、Ｙ、Ｙｂ、Ｚｎ、およびＺｒからなる群より選択されるが、Ｍ２およびＭ３は、Ｍ１ａＭ２ｂＭ３ｃＯｘ中では同一でなく、ａ、ｂ、およびｃは、ａ＋ｂ＋ｃ＝１という条件つきで、それぞれ独立して、約０．０００５〜約１であり、ｘは、存在する酸素が化合物中の他の元素の電荷とのバランスをとるのに十分な数である、
（ｂ）該アレイを該ガス混合物に暴露したときにそれぞれの化学的／電気的活性物質の電気的応答を決定する手段と、
（ｃ）該電気的応答から該個別ガス成分の分析を行う手段と、
を備えた、装置。
４１．  （ａ）Ｍ１Ｏｘが、ＣｅａＯｘ、ＣｏＯｘ、ＣｕＯｘ、ＦｅＯｘ、ＧａＯｘ、ＮｂＯｘ、ＮｉＯｘ、ＰｒＯｘ、ＲｕＯｘ、ＳｎＯｘ、ＴａａＯｘ、ＴｉＯｘ、ＴｍＯｘ、ＷＯｘ、ＹｂＯｘ、ＺｎＯｘ、ＺｒＯｘ、Ａｇ添加剤を有するＳｎＯｘ、Ａｇ添加剤を有するＺｎＯｘ、Ｐｔ添加剤を有するＴｉＯｘ、フリット添加剤を有するＺｎＯｘ、フリット添加剤を有するＮｉＯｘ、フリット添加剤を有するＳｎＯｘ、もしくはフリット添加剤を有するＷＯｘからなる群より選択され、
（ｂ）Ｍ１ａＭ２ｂＯｘが、ＡｌａＣｒｂＯｘ、ＡｌａＦｅｂＯｘ、ＡｌａＭｇｂＯｘ、ＡｌａＮｉｂＯｘ、ＡｌａＴｉｂＯｘ、ＡｌａＶｂＯｘ、ＢａａＣｕｂＯｘ、ＢａａＳｎｂＯｘ、ＢａａＺｎｂＯｘ、ＢｉａＲｕｂＯｘ、ＢｉａＳｎｂＯｘ、ＢｉａＺｎｂＯｘ、ＣａａＳｎｂＯｘ、ＣａａＺｎｂＯｘ、ＣｄａＳｎｂＯｘ、ＣｄａＺｎｂＯｘ、ＣｅａＦｅｂＯｘ、ＣｅａＮｂｂＯｘ、ＣｅａＴｉｂＯｘ、ＣｅａＶｂＯｘ、ＣｏａＣｕｂＯｘ、ＣｏａＧｅｂＯｘ、ＣｏａＬａｂＯｘ、ＣｏａＭｇｂＯｘ、ＣｏａＮｂｂＯｘ、ＣｏａＰｂｂＯｘ、ＣｏａＳｎｂＯｘ、ＣｏａＶｂＯｘ、ＣｏａＷｂＯｘ、ＣｏａＺｎｂＯｘ、ＣｒａＣｕｂＯｘ、ＣｒａＬａｂＯｘ、ＣｒａＭｎｂＯｘ、ＣｒａＮｉｂＯｘ、ＣｒａＳｉｂＯｘ、ＣｒａＴｉｂＯｘ、ＣｒａＹｂＯｘ、ＣｒａＺｎｂＯｘ、ＣｕａＦｅｂＯｘ、ＣｕａＧａｂＯｘ、ＣｕａＬａｂＯｘ、ＣｕａＮａｂＯｘ、ＣｕａＮｉｂＯｘ、ＣｕａＰｂｂＯｘ、ＣｕａＳｎｂＯｘ、ＣｕａＳｒｂＯｘ、ＣｕａＴｉｂＯｘ、ＣｕａＺｎｂＯｘ、ＣｕａＺｒｂＯｘ、ＦｅａＧａｂＯｘ、ＦｅａＬａｂＯｘ、ＦｅａＭｏｂＯｘ、ＦｅａＮｂｂＯｘ、ＦｅａＮｉｂＯｘ、ＦｅａＳｎｂＯｘ、ＦｅａＴｉｂＯｘ、ＦｅａＷｂＯｘ、ＦｅａＺｎｂＯｘ、ＦｅａＺｒｂＯｘ、ＧａａＬａｂＯｘ、ＧａａＳｎｂＯｘ、ＧｅａＮｂｂＯｘ、ＧｅａＴｉｂＯｘ、ＩｎａＳｎｂＯｘ、ＫａＮｂｂＯｘ、ＭｎａＮｂｂＯｘ、ＭｎａＳｎｂＯｘ、ＭｎａＴｉｂＯｘ、ＭｎａＹｂＯｘ、ＭｎａＺｎｂＯｘ、ＭｏａＰｂｂＯｘ、ＭｏａＲｂｂＯｘ、ＭｏａＳｎｂＯｘ、ＭｏａＴｉｂＯｘ、ＭｏａＺｎｂＯｘ、ＮｂａＮｉｂＯｘ、ＮｂａＮｉｂＯｘ、ＮｂａＳｒｂＯｘ、ＮｂａＴｉｂＯｘ、ＮｂａＷｂＯｘ、ＮｂａＺｒｂＯｘ、ＮｉａＳｉｂＯｘ、ＮｉａＳｎｂＯｘ、ＮｉａＹｂＯｘ、ＮｉａＺｎｂＯｘ、ＮｉａＺｒｂＯｘ、ＰｂａＳｎｂＯｘ、ＰｂａＺｎｂＯｘ、ＲｂａＷｂＯｘ、ＲｕａＳｎｂＯｘ、ＲｕａＷｂＯｘ、ＲｕａＺｎｂＯｘ、ＳｂａＳｎｂＯｘ、ＳｂａＺｎｂＯｘ、ＳｃａＺｒｂＯｘ、ＳｉａＳｎｂＯｘ、ＳｉａＴｉｂＯｘ、ＳｉａＷｂＯｘ、ＳｉａＺｎｂＯｘ、ＳｎａＴａｂＯｘ、ＳｎａＴｉｂＯｘ、ＳｎａＷｂＯｘ、ＳｎａＺｎｂＯｘ、ＳｎａＺｒｂＯｘ、ＳｒａＴｉｂＯｘ、ＴａａＴｉｂＯｘ、ＴａａＺｎｂＯｘ、ＴａａＺｒｂＯｘ、ＴｉａＶｂＯｘ、ＴｉａＷｂＯｘ、ＴｉａＺｎｂＯｘ、ＴｉａＺｒｂＯｘ、ＶａＺｎｂＯｘ、ＶａＺｒｂＯｘ、ＷａＺｎｂＯｘ、ＷａＺｒｂＯｘ、ＹａＺｒｂＯｘ、ＺｎａＺｒｂＯｘ、フリット添加剤を有するＡｌａＮｉｂＯｘ、フリット添加剤を有するＣｒａＴｉｂＯｘ、フリット添加剤を有するＦｅａＮｉｂＯｘ、フリット添加剤を有するＦｅａＴｉｂＯｘ、フリット添加剤を有するＮｂａＴｉｂＯｘ、フリット添加剤を有するＮｂａＷｂＯｘ、フリット添加剤を有するＮｉａＺｎｂＯｘ、フリット添加剤を有するＮｉａＺｒｂＯｘ、もしくはフリット添加剤を有するＴａａＴｉｂＯｘからなる群より選択され、かつ／または
（ｃ）Ｍ１ａＭ２ｂＭ３ｃＯｘが、ＡｌａＭｇｂＺｎｃＯｘ、ＡｌａＳｉｂＶｃＯｘ、ＢａａＣｕｂＴｉｃＯｘ、ＣａａＣｅｂＺｒｃＯｘ、ＣｏａＮｉｂＴｉｃＯｘ、ＣｏａＮｉｂＺｒｃＯｘ、ＣｏａＰｂｂＳｎｃＯｘ、ＣｏａＰｂｂＺｎｃＯｘ、ＣｒａＳｒｂＴｉｃＯｘ、ＣｕａＦｅｂＭｎｃＯｘ、ＣｕａＬａｂＳｒｃＯｘ、ＦｅａＮｂｂＴｉｃＯｘ、ＦｅａＰｂｂＺｎｃＯｘ、ＦｅａＳｒｂＴｉｃＯｘ、ＦｅａＴａｂＴｉｃＯｘ、ＦｅａＷｂＺｒｃＯｘ、ＧａａＴｉｂＺｎｃＯｘ、ＬａａＭｎｂＮａｃＯｘ、ＬａａＭｎｂＳｒｃＯｘ、ＭｎａＳｒｂＴｉｃＯｘ、ＭｏａＰｂｂＺｎｃＯｘ、ＮｂａＳｒｂＴｉｃＯｘ、ＮｂａＳｒｂＷｃＯｘ、ＮｂａＴｉｂＺｎｃＯｘ、ＮｉａＳｒｂＴｉｃＯｘ、ＳｎａＷｂＺｎｃＯｘ、ＳｒａＴｉｂＶｃＯｘ、ＳｒａＴｉｂＺｎｃＯｘ、もしくはＴｉａＷｂＺｒｃ
Ｏｘからなる群より選択される、
上記４０に記載の装置。
４２．  前記アレイが、約４００℃以上の温度を有する前記ガス混合物内に位置する、上記４０に記載の装置。
４３．  前記ガス混合物が燃焼プロセスからの排出物である、上記４０に記載の装置。
４４．  前記ガス混合物中の成分ガスが分離されていない、上記４０に記載の装置。
４５．  前記多成分ガス混合物に暴露したときだけ前記化学的／電気的活性物質の電気的応答から前記分析が行われる、上記４０に記載の装置。
４６．  分析を行う前記手段が前記ガス混合物内の前記個別ガス成分の濃度を算出する手段である、上記４０に記載の装置。
４７．  前記化学的／電気的活性物質に並列回路構成で接続された、前記ガス混合物の温度値を決定する手段をさらに備え、前記個別ガス成分が、ディジタル化された電気的応答およびディジタル化された温度値から分析される、上記４０に記載の装置。
４８．  それぞれの化学的／電気的活性物質の温度が実質的に前記ガス混合物の可変温度だけで決まる、上記４０に記載の装置。
４９．  少なくとも１種の化学的／電気的活性物質が、約４００℃以上の温度である場合、（ｉ）約１Ω・ｃｍ〜約１０５Ω・ｃｍの範囲の電気抵抗率を有し、かつ（ｉｉ）該物質を個別ガス成分に暴露したときに暴露前の抵抗と比較して少なくとも約０．１パーセントの電気抵抗の変化を呈する、上記４０に記載の装置。
５０．  選択された温度の前記ガス混合物に暴露したときの各物質の電気的応答特性が値として定量化可能であり、かつ該選択された温度の個別ガス成分に該物質を少なくとも約１分間暴露した際に少なくとも１種の物質の応答値が一定であるかまたは約２０パーセント以下の変化を示す、上記４０に記載の装置。
５１．  前記電気的応答が、抵抗、インピーダンス、キャパシタンス、電圧、または電流からなる群より選択される、上記４０に記載の装置。
５２．  多成分ガス混合物中の少なくとも１種の個別ガス成分を分析する装置であって、
（ａ）並列回路構成で接続された少なくとも２種の化学的／電気的活性物質のアレイであって、それぞれの化学的／電気的活性物質は、該個別ガス成分に選択された温度で暴露したときに他の化学的／電気的活性物質のそれぞれとは異なる電気的応答特性を有し、各物質の電気的応答特性は値として定量化可能であり、そのうちの少なくとも１種の物質の応答値は該選択された温度の個別ガス成分に該物質を少なくとも約１分間暴露した際に一定であるかまたは約２０パーセント以下の変化を示すアレイと、
（ｂ）該アレイを該ガス混合物に暴露したときにそれぞれの化学的／電気的活性物質の電気的応答値を決定する手段と、
（ｃ）該化学的／電気的活性物質に並列に接続された、該ガス混合物の温度値を決定する手段と、
（ｄ）該電気的応答および該温度値のディジタル化ならびにディジタル化された電気的応答および温度値からの値の算出により該個別ガス成分の分析を行う手段と、
を備えた、装置。
５３．  前記アレイが、約４００℃以上の温度を有する前記ガス混合物内に位置する、上記５２に記載の装置。
５４．  前記ガス混合物が燃焼プロセスからの排出物である、上記５２に記載の装置。
５５．  前記ガス混合物中の成分ガスが分離されていない、上記５２に記載の装置。
５６．  それぞれの化学的／電気的活性物質の温度が実質的に前記ガス混合物の可変温度だけで決まる、上記５２に記載の装置。
５７．  前記多成分ガス混合物に暴露したときだけ前記化学的／電気的活性物質の電気的応答から前記分析が行われる、上記５２に記載の装置。
５８．  分析を行う前記手段が前記ガス混合物内の前記個別ガス成分の濃度を算出する手段である、上記５２に記載の装置。
５９．  少なくとも１種の化学的／電気的活性物質が、約４００℃以上の温度である場合、（ｉ）約１Ω・ｃｍ〜約１０５Ω・ｃｍの範囲の電気抵抗率を有し、かつ（ｉｉ）該物質を個別ガス成分に暴露したときに暴露前の抵抗と比較して少なくとも約０．１パーセントの電気抵抗の変化を呈する、上記５２に記載の装置。
６０．  前記電気的応答が、抵抗、インピーダンス、キャパシタンス、電圧、または電流からなる群より選択される、上記５２に記載の装置。
６１．  前記アレイが、約４００℃未満の温度を有するガス混合物内に位置し、かつ前記アレイが、約４００℃以上の実質的に一定の温度を有する、上記５２に記載の装置。
６２．  少なくとも１種の化学的／電気的活性物質が金属酸化物である、上記５２に記載の装置。
６３．  約４００℃以上の温度を有する多成分ガス混合物について、該混合物中の少なくとも２種の個別検体ガス成分の濃度を算出する装置であって、
（ａ）並列回路構成で接続された少なくとも３種の化学的／電気的活性物質のアレイであって、該アレイは、該ガス混合物内に位置し、かつそれぞれの化学的／電気的活性物質は、該個別検体ガス成分のそれぞれに暴露したときに電気抵抗の変化を呈し、そのうちの少なくとも１種の化学的／電気的活性物質は、約４００Ｃ以上の温度である場合、（ｉ）約１Ω・ｃｍ〜約１０５Ω・ｃｍの範囲の電気抵抗率を有し、かつ（ｉｉ）該物質を検体ガス成分に暴露したときに暴露前の抵抗と比較して少なくとも約０．１パーセントの電気抵抗の変化を呈するアレイと、
（ｂ）該アレイを該ガス混合物の分離されていない成分に暴露したときにそれぞれの化学的／電気的活性物質の抵抗の変化を決定する手段と、
（ｃ）該多成分ガス混合物に暴露したときだけ該化学的／電気的活性物質の抵抗の変化から該個別検体ガス成分のそれぞれの濃度を算出する手段と、
を備えた、装置。
６４．  前記ガス混合物が燃焼プロセスからの排出物である、上記６３に記載の装置。
６５．  前記化学的／電気的活性物質に並列回路構成で接続された、前記ガス混合物の温度値を決定する手段をさらに備え、前記個別ガス成分が、ディジタル化された電気的応答およびディジタル化された温度値から分析される、上記６３に記載の装置。
６６．  それぞれの化学的／電気的活性物質の温度が実質的に前記ガス混合物の可変温度だけで決まる、上記６３に記載の装置。
６７．  選択された温度の前記ガス混合物に暴露したときの各物質の電気的応答特性が値として定量化可能であり、かつ該選択された温度の検体ガス成分に該物質を少なくとも約１分間暴露した際に少なくとも１種の物質の応答値が一定であるかまたは約２０パーセント以下の変化を示す、上記６３に記載の装置。
６８．  少なくとも１種の化学的／電気的活性物質が金属酸化物である、上記６３に記載の装置。
６９．  多成分ガス混合物中の少なくとも１種の個別ガス成分を分析する方法であって、
（ａ）並列回路構成で接続された少なくとも２種の化学的／電気的活性物質のアレイを提供することであって、それぞれの化学的／電気的活性物質は、該個別ガス成分に暴露したときに互いに他の化学的／電気的活性物質とは異なる電気的応答特性を呈することと、
（ｂ）該アレイを該ガス混合物に暴露することと、
（ｃ）該アレイを該ガス混合物に暴露したときにそれぞれの化学的／電気的活性物質の電気的応答を決定することと、
（ｄ）該化学的／電気的活性物質の電気的応答の決定とは独立して該ガス混合物の温度値を決定することと、
（ｅ）該電気的応答および該温度値のディジタル化ならびにディジタル化された電気的応答および温度値からの値の算出により該個別ガス成分の分析を行うことと、
を含む、方法。
７０．  前記アレイが、約４００℃以上の温度を有する前記ガス混合物内に位置する、上記６９に記載の方法。
７１．  前記ガス混合物が燃焼プロセスからの排出物である、上記６９に記載の方法。
７２．  前記ガス混合物中の成分ガスが分離されていない、上記６９に記載の方法。
７３．  それぞれの化学的／電気的活性物質の温度が実質的に前記ガス混合物の可変温度だけで決まる、上記６９に記載の方法。
７４．  前記多成分ガス混合物に暴露したときだけ前記化学的／電気的活性物質の電気的応答から前記分析が行われる、上記６９に記載の方法。
７５．  行われる前記分析が、前記ガス混合物内の前記個別ガス成分の濃度を算出することを含む、上記６９に記載の方法。
７６．  少なくとも１種の化学的／電気的活性物質が、約４００℃以上の温度である場合、（ｉ）約１Ω・ｃｍ〜約１０５Ω・ｃｍの範囲の電気抵抗率を有し、かつ（ｉｉ）該物質を個別ガス成分に暴露したときに暴露前の抵抗と比較して少なくとも約０．１パーセントの電気抵抗の変化を呈する、上記６９に記載の方法。
７７．  選択された温度の前記ガス混合物に暴露したときの各物質の電気的応答特性が値として定量化可能であり、かつ該選択された温度の個別ガス成分に該物質を少なくとも約１分間暴露した際に少なくとも１種の物質の応答値が一定であるかまたは約２０パーセント以下の変化を示す、上記６９に記載の方法。
７８．  前記電気的応答が、抵抗、インピーダンス、キャパシタンス、電圧、または電流からなる群より選択される、上記６９に記載の方法。
７９．  前記アレイが、約４００℃未満の温度を有するガス混合物内に位置し、かつ前記アレイが、約４００Ｃ以上の実質的に一定の温度を有する、上記６９に記載の方法。
８０．  少なくとも１種の化学的／電気的活性物質が金属酸化物である、上記６９に記載の方法。
８１．  約４００℃以上の温度を有する多成分ガス混合物中の少なくとも２種の個別検体ガス成分の濃度を算出する方法であって、
（ａ）少なくとも３種の化学的／電気的活性物質のアレイを該ガス混合物内に提供することであって、それぞれの化学的／電気的活性物質は、該個別検体ガス成分のそれぞれに暴露したときに他の化学的／電気的活性物質のそれぞれとは異なる電気的応答特性を有し、そのうちの少なくとも１種の化学的／電気的活性物質は、約４００℃以上の温度である場合、（ｉ）約１Ω・ｃｍ〜約１０５Ω・ｃｍの範囲の電気抵抗率を有し、かつ（ｉｉ）該物質を検体ガス成分に暴露したときに暴露前の抵抗と比較して少なくとも約０．１パーセントの電気抵抗の変化を呈する、
（ｂ）該アレイを該ガス混合物の分離されていない成分に暴露したときにそれぞれの化学的／電気的活性物質の電気的応答を決定することと、
（ｃ）該多成分ガス混合物に暴露したときだけ該化学的／電気的活性物質の電気的応答から該個別検体ガス成分のそれぞれの濃度を算出することと、
を含む、方法。
８２．  前記ガス混合物が燃焼プロセスからの排出物である、上記８１に記載の方法。
８３．  それぞれの化学的／電気的活性物質の温度が実質的に前記ガス混合物の可変温度だけで決まる、上記８１に記載の方法。
８４．  選択された温度の前記ガス混合物に暴露したときの各物質の電気的応答特性が値として定量化可能であり、かつ該選択された温度の検体ガス成分に該物質を少なくとも約１分間暴露した際に少なくとも１種の物質の応答値が一定であるかまたは約２０パーセント以下の変化を示す、上記８１に記載の方法。
８５．  前記電気的応答が、抵抗、インピーダンス、キャパシタンス、電圧、または電流からなる群より選択される、上記８１に記載の方法。
８６．  少なくとも１種の化学的／電気的活性物質が金属酸化物である、上記８１に記載の方法。
８７．  多成分ガス混合物中の少なくとも１種の個別ガス成分を分析する方法であって、
（ａ）少なくとも２種の化学的／電気的活性物質のアレイを提供することであって、それぞれの化学的／電気的活性物質は、該個別ガス成分に選択された温度で暴露したときに他の化学的／電気的活性物質のそれぞれとは異なる電気的応答特性を有し、各物質の電気的応答特性は値として定量化可能であり、そのうちの少なくとも１種の物質の応答値は該選択された温度の個別ガス成分に該物質を少なくとも約１分間暴露した際に一定であるかまたは約２０パーセント以下の変化を示すことと、
（ｂ）該アレイを該ガス混合物に暴露したときにそれぞれの化学的／電気的活性物質の電気的応答値を決定することと、
（ｃ）該電気的応答値から該個別ガス成分の分析を行うことと、
を含む、方法。
８８．  前記アレイが、約４００℃以上の温度を有する前記ガス混合物内に位置する、上記８７に記載の方法。
８９．  前記ガス混合物が燃焼プロセスからの排出物である、上記８７に記載の方法。
９０．  行われる前記分析が、前記ガス混合物内の前記個別ガス成分の濃度を算出することを含む、上記８７に記載の方法。
９１．  それぞれの化学的／電気的活性物質の温度が実質的に前記ガス混合物の可変温度だけで決まる、上記８７に記載の方法。
９２．  前記電気的応答が、抵抗、インピーダンス、キャパシタンス、電圧、または電流からなる群より選択される、上記８７に記載の方法。
９３．  少なくとも１種の化学的／電気的活性物質が金属酸化物である、上記８７に記載の方法。
９４．  前記アレイが、約４００℃未満の温度を有するガス混合物中に位置し、かつ前記アレイが、約４００℃以上の実質的に一定の温度を有する、上記８７に記載の方法。